(57)【特許請求の範囲】
【請求項１】
バーナが収容された燃焼室と、該燃焼室の上方に位置し該燃焼室が着脱自在に接続されて該燃焼室に連通する放熱箱と、燃焼室及び放熱箱を収容する外装ケースとを備え、
前記燃焼室は、放熱箱に向かって昇降自在に設けられて、上昇位置において前記放熱箱の下端部に接続され、下降位置において前記放熱箱の下端部から離反され、更に、該燃焼室は、下降位置にあるとき前記外装ケース内から外方に引き出し自在に設けられ、
前記外装ケースにおける前記燃焼室の下方位置に、該燃焼室を前記放熱箱に向かって押し上げて放熱箱との接続を解除自在に保持する押し上げ保持手段が設けられていることを特徴とする燃焼装置。
【請求項２】
前記燃焼室の上端部と前記放熱箱の下端部とは互いに上下方向に着脱自在に係合する係合部を介して接続されることを特徴とする請求項１記載の燃焼装置。
【請求項３】
前記押し上げ保持手段は、起立したとき燃焼室の下部に当接して該燃焼室の押し上げ状態を維持し、横倒したとき燃焼室の下部への当接を解除して該燃焼室を下降可能とする揺動自在に設けられた当接部材と、該当接部材を揺動操作する操作レバーとを備えることを特徴とする請求項１又は２記載の燃焼装置。
【発明の詳細な説明】
【０００１】
【発明の属する技術分野】
本発明は、燃焼装置に関する。
【０００２】
【従来の技術】
従来、例えば石油温風暖房装置等においては、バーナを内部に収容する燃焼室や、該燃焼室に接続されてバーナの排気を導通させる放熱箱、更に、燃料である石油を気化してバーナに供給する気化器等を備える燃焼装置が、外装ケースに収容されている。
【０００３】
このような燃焼装置では、バーナのメンテンナンス（例えば炎口部の清掃等）や、劣化時の交換を行う上で、該バーナを収容する燃焼室を外装ケースから容易に取り出すことができることが望まれる。
【０００４】
しかし、従来の燃焼装置では、一般に、燃焼室がブラケット等を介して外装ケースに複数箇所でネジ止めされて固定されている。このため、外装ケースを分解して燃焼室や放熱箱を露出させた後、燃焼室と放熱箱とを分離させる作業が必要であるだけでなく、燃焼室の取り外しのために複数のネジを外すといった煩わしい作業を行わなければ、燃焼室を外部に取り出すことができないようになっており、バーナのメンテナンス作業に多大な手間がかかる不都合があった。
【０００５】
【発明が解決しようとする課題】
かかる不都合を解消して、本発明は、燃焼室を外装ケースの外部に極めて容易に取り出すことができ、バーナのメンテナンス作業の煩わしさを飛躍的に軽減することができる燃焼装置を提供することを目的とする。
【０００６】
【課題を解決するための手段】
かかる目的を達成するために、本発明は、バーナが収容された燃焼室と、該燃焼室の上方に位置し該燃焼室が着脱自在に接続されて該燃焼室に連通する放熱箱と、燃焼室及び放熱箱を収容する外装ケースとを備え、前記燃焼室は、放熱箱に向かって昇降自在に設けられて、上昇位置において前記放熱箱の下端部に接続され、下降位置において前記放熱箱の下端部から離反され、更に、該燃焼室は、下降位置にあるとき前記外装ケース内から外方に引き出し自在に設けられ、前記外装ケースにおける前記燃焼室の下方位置に、該燃焼室を前記放熱箱に向かって押し上げて放熱箱との接続を解除自在に保持する押し上げ保持手段が設けられていることを特徴とする。
【０００７】
本発明によれば、前記押し上げ保持手段による押し上げ保持を解除することにより、前記バーナを収容する燃焼室が下降して前記放熱箱の下端部から離反する。そして、下降位置の前記燃焼室を前記外装ケース内から外方に引き出すことができる。これにより、複数箇所のネジを外すといった従来のような煩わしい作業を行うことなく、前記燃焼室を容易に外装ケースから取り出すことができる。
【０００８】
また、前記燃焼室を外装ケースの内部に取り付けるときには、該燃焼室を取り外した際の作業とは逆の手順によって、外装ケース内部の放熱箱の下方に前記燃焼室を位置させる。次いで、前記燃焼室を上昇させて放熱箱の下端部に接続させ、前記押し上げ保持手段によって押し上げ状態を保持する。これにより、燃焼室と放熱箱との連通状態を確実に維持することができる。
【０００９】
このように、本発明によれば、前記押し上げ保持手段を設けたことにより燃焼室の取外しや取り付けを容易に行なうことができ、バーナのメンテナンス作業の煩わしさを飛躍的に軽減することができる。
【００１０】
また、本発明においては、前記燃焼室の上端部と前記放熱箱の下端部とは互いに上下方向に着脱自在に係合する係合部を介して接続されることが好ましい。該係合部は上下方向に着脱自在であることにより、前記燃焼室を下降するだけで放熱箱との係合を容易に解除できる。また、燃焼室を放熱箱に接続する際に該係合部を介して燃焼室と放熱箱とを係合させることにより位置決めが容易に行なえ、燃焼室を取り付ける際の作業性を向上させることができる。
【００１１】
また、本発明における前記押し上げ保持手段の一態様として、該押し上げ保持手段は、起立したとき燃焼室の下部に当接して該燃焼室の押し上げ状態を維持し、横倒したとき燃焼室の下部への当接を解除して該燃焼室を下降可能とする揺動自在に設けられた当接部材と、該当接部材を揺動操作する操作レバーとを備えることを特徴とする。
【００１２】
放熱箱に接続された燃焼室を下降させて取り外すときには、前記操作レバーを操作して前記当接部材を横倒させる。これにより燃焼室の下部への当接部材の当接が解除され、燃焼室を下降させることができる。また、燃焼室を放熱箱に接続するときには、燃焼室を放熱箱への接続位置に上昇させた状態で操作レバーを操作して当接部材を起立させる。これにより当接部材が燃焼室の下部に当接して燃焼室を上昇位置に保持することができ、燃焼室と放熱箱との接続状態を確実に維持することができる。このように、前記操作レバーを操作するだけで、燃焼室と放熱箱との接続及びその解除を行なうことができ、燃焼室の取外しや取り付け作業を迅速に行なうことができる。
【００１３】
【発明の実施の形態】
本発明の一実施形態を図面に基づいて説明する。図１は本実施形態の燃焼装置を備える温風暖房装置の外観を示す説明的斜視図、図２は本実施形態の燃焼装置の概略構成を示す説明的正面図、図３は係合部を示す説明図、図４は押し上げ保持手段を示す説明的斜視図、図５は押し上げ保持手段の作動を示す説明図、図６はレバー押え部材を示す分解斜視図である。
【００１４】
本実施形態の燃焼装置は図１に外観を示すＦＦ式石油温風暖房装置に採用されている。図１において、１は温風暖房装置の外装ケースである。この外装ケース１は、取外し自在の前面パネル２を備え、前面パネル２を取り外すことによって図２示のように内部の燃焼装置Ａを露出させることができるよになっている。
【００１５】
本実施形態の燃焼装置Ａは、図２に示すように、上部にバーナ３及び燃料である石油を気化する気化器４を備えるバーナユニット５と、内部にバーナ３を収容する燃焼室６と、該燃焼室６の上縁に接続されて内部が燃焼室６に連通する方形箱状の放熱箱７とを備えている。該放熱箱７はガラス板８によって閉塞された窓部９を備え、図示しないが、該放熱箱７の内部に設けられて排気熱によって赤色発光する赤熱体が窓部９を介して視認可能となっている。更に該放熱箱７には排気流路１０を介して放熱器１１が連通して接続されている。なお、外装ケース１の内部には、図示しないが、気化器４において気化された石油をバーナ３へ送る燃焼ファンや、前記放熱器１１に送風して暖房用温風を生成する対流ファンといった暖房装置に必要なものが多数収容されていることは周知の通りである。
【００１６】
前記放熱箱７及び放熱器１１は図示しないブラケットを介して外装ケース１のフレーム１２にネジ締め固定されている。一方、燃焼室６及びバーナユニット５は、図２及び図５（ａ）に示すように、後述の押し上げ保持手段１３によって解除自在に支持されており、該押し上げ保持手段１３による支持が解除されたときには、下降自在且つ前方に引き出し自在に設けられている。
【００１７】
また、燃焼室６と放熱箱７とは複数の係合部１４を介して着脱自在に接続されている。該係合部１４は、図３に示すように、放熱箱７の下縁フランジ１５に上下方向に貫通して形成された係合穴１６と、燃焼室６の上縁フランジ１７に上方に突設された係合ピン１８とによって構成される。これによって、燃焼室６を下降させるだけで、係合穴１６から係合ピン１８が抜け出し、燃焼室６と放熱箱７との接続を解除できる。また、係合ピン１８を係合穴１６に挿着して係合させることにより、燃焼室６と放熱箱７とを容易に接続することができ、両者に位置ズレのない接続状態を維持することができる。なお、燃焼室６の上縁フランジ１７には封止部材（図示省略）が設けられており、係合ピン１８を係合穴１６に挿着係合させたとき、放熱箱７の下縁フランジ１５と燃焼室６の上縁フランジ１７とが封止部材を介して密着して燃焼室６と放熱箱７とが気密に接続される。
【００１８】
前記押し上げ保持手段１３は、図４に示すように、凸状の屈曲部１９（本発明の当接部材に相当する）と、操作レバー部２０とが金属棒材を折り曲げて形成されており、外装ケース１の底板架台２１（図２参照）に固設されたブラケット２２に回転自在に支持されている。ブラケット２２は、底板架台２１に固定された固定部２３と、固定部２３から起立して形成され、押し上げ保持手段１３の屈曲部１９の両側を回転自在に支持する受け部２４とによって構成されている。このように、押し上げ保持手段１３は、操作レバー部２０を揺動操作することによって屈曲部１９を起立させたり倒したりすることが容易に行なえるようになっている。そして、屈曲部１９は、図５（ａ）に示すように、起立した状態にあるとき、バーナユニット５の底部に当接して燃焼室６を押し上げた状態で保持し、燃焼室６を放熱箱７に接続させた状態で支持する。
【００１９】
また、図５（ａ）に示すように、バーナユニット５の前側壁には、操作レバー部２０の起立状態に保持するレバー押え部材２５が設けられている。該レバー押え部材２５は、図６に示すように、バーナユニット５の前側壁にスポット溶接等により固着されたレバー押え台２６と、該レバー押え台２６にネジ２７により取り付けられて該レバー押え台２６との間で操作レバー部２０を挟持するレバー押え板２８とによって構成されている。これにより、燃焼装置Ａの運転中などの振動によって使用者の意に反して操作レバー部２０が横倒することを防止でき、また、操作レバー部２０の起立位置範囲を好適な位置に限定することができる。
【００２０】
以上の構成による本実施形態の燃焼装置Ａは、前記押し上げ保持手段１３が設けられていることによって、メンテナンス作業等における燃焼室６及びバーナユニット５の取り付けと取り外しを容易に行うことができる。即ち、燃焼室６及びバーナユニット５を外装ケース１から取り出すときには、先ず、図１に示した外装ケース１の前面パネル２を取り外して、図２に示すように燃焼装置Ａを露出させる。次いで、図５（ａ）に示すように、屈曲部１９がバーナユニット５を介して燃焼室６を押し上げ保持した状態から、レバー押え部材２５のレバー押え板２８を取り外す。そして、作業者が一方の手でバーナユニット５の底部を支えて、他方の手で前記操作レバー部２０を揺動操作する。
【００２１】
操作レバー部２０の操作により、図５（ｂ）に示すように、屈曲部１９が横倒して燃焼室６及びバーナユニット５の押し上げ保持状態が解除される。続いて、燃焼室６及びバーナユニット５を一体に下降させ、図３に示すように、係合部１４において係合穴１６（図３参照）から係合ピン１８を脱出させる。そして、燃焼室６及びバーナユニット５を一体に前方に引き出せば、外装ケース１内から燃焼室６及びバーナユニット５を取り出すことができる。
【００２２】
また、取り出された状態にある燃焼室６及びバーナユニット５を外装ケース１の内部に取り付けるときには、先ず、外装ケース１内に燃焼室６及びバーナユニット５を入れ、放熱箱７に向かって燃焼室６を持ち上げる。このとき、燃焼室６の係合ピン１８を放熱箱７の係合穴１６（図３参照）に挿着係合させ、一方の手でバーナユニット５の底部を支えて燃焼室６を放熱箱７に接続状態とする。
【００２３】
次いで、他方の手で前記押し上げ保持手段１３の操作レバー部２０を揺動操作して、屈曲部１９を起立させる。これによって、該屈曲部１９がバーナユニット５の底部に当接して燃焼室６の持ち上げ状態が保持され、燃焼室６と放熱箱７との接続状態が維持される。その後、図６に示すように、レバー押え部材２５のレバー押え板２８を取り付けて操作レバー部２０を固定し、図１に示すように、前面パネル２を外装ケース１に取り付ける。
【００２４】
このように、前記押し上げ保持手段１３の操作レバー部２０を操作するだけで、燃焼室６及びバーナユニット５の取り付けと取り外しを行なうことができるので、従来のように燃焼室６がネジ締めによって外装ケース１の内部に固定されている場合に比べて、メンテナンス作業等における作業者の負担を飛躍的に軽減することができる。
【００２５】
なお、本実施形態における前記押し上げ保持手段１３は、金属棒材を折り曲げ加工して当接部材としての屈曲部１９を形成し、これによって、押し上げ保持手段１３を安価且つ製造容易とした。しかし、本発明における押し上げ保持手段はこれに限るものではなく、例えば、図示しないが、当接部材をカム状のブロック材によって形成してもよい。
【図面の簡単な説明】
【図１】本発明の一実施形態の燃焼装置を備える温風暖房装置の外観を示す説明的斜視図。
【図２】本実施形態の燃焼装置の概略構成を示す説明的正面図。
【図３】係合部を示す説明図。
【図４】押し上げ保持手段を示す説明的斜視図。
【図５】押し上げ保持手段の作動を示す説明図。
【図６】レバー押え部材を示す分解斜視図。
【符号の説明】
Ａ…燃焼装置、１…外装ケース、３…バーナ、５…バーナユニット、６…燃焼室、７…放熱箱、１３…押し上げ保持手段、１４…係合部、１９…屈曲部（当接部材）、２０…操作レバー部（操作レバー）。
【図１】
0004618946.tif 000002
【図２】
0004618946.tif 000003
【図３】
0004618946.tif 000004
【図４】
0004618946.tif 000005
【図５】
0004618946.tif 000006
【図６】
0004618946.tif 000007